(57)【要約】【課題】室内機の運転内容とリモートコントローラの設定内容とが一致するか否かを報知することができるリモートコントローラを提供する。【解決手段】室内機１１に制御指令を送信する空調用リモートコントローラー５であって、室内機１１の運転内容を受信する送受信部８３と、室内機１１の運転内容と、空調用リモートコントローラー５の設定内容とを比較する制御部８１と、制御部８１による比較結果に基づいた表示内容を表示する表示部８５と、を備え、制御部８１は、室内機１１が判断して動作する特殊運転モード中に、室内機１１の運転内容と、空調用リモートコントローラー５の設定内容とが不一致である場合、運転内容と設定内容とが不一致である旨と、該不一致となった原因及び運転内容と設定内容とを一致させる方法の少なくとも一方と、を表示部８５により報知させる。【選択図】図３
2014035162.tif 000002
【特許請求の範囲】
【請求項１】
室内機に制御指令を送信する空調用リモートコントローラーであって、
前記室内機の運転内容を受信する送受信部と、
前記室内機の運転内容と、前記空調用リモートコントローラーの設定内容とを比較する制御部と、
前記制御部による比較結果に基づいた表示内容を表示する表示部と、
を備え、
前記制御部は、
前記室内機が判断して動作する特殊運転モード中に、前記室内機の運転内容と、前記空調用リモートコントローラーの設定内容とが不一致である場合、前記室内機の運転内容と前記空調用リモートコントローラーの設定内容とが不一致である旨と、該不一致となった原因及び前記室内機の運転内容と前記空調用リモートコントローラーの設定内容とを一致させる方法の少なくとも一方と、を前記表示部により報知させる
ことを特徴とする空調用リモートコントローラー。
【請求項２】
前記室内機の運転内容を前記送受信部により取得させる情報取得ボタンを備え、
前記制御部は、
前記送受信部から供給された前記室内機の運転内容に関する第１情報を保持する運転状態情報保持部を備え、
前記情報取得ボタンが操作された場合、前記第１情報を前記運転状態情報保持部に保持する
ことを特徴とする請求項１に記載の空調用リモートコントローラー。
【請求項３】
前記室内機の運転内容に関する操作を行う複数の操作ボタンを備え、
前記制御部は、
前記送受信部から供給された前記室内機の運転内容に関する第１情報を保持する運転状態情報保持部を備え、
前記複数の操作ボタンの何れかが操作された場合、前記第１情報を前記運転状態情報保持部に保持する
ことを特徴とする請求項１に記載の空調用リモートコントローラー。
【請求項４】
前記制御部は、
前記空調用リモートコントローラーの設定内容により生成された該設定内容に関する第２情報を保持する設定状態情報保持部と、
前記第１情報と、前記第２情報とが不一致であるか否かを比較する比較部と、
前記比較部による比較結果に基づいて、表示文字及び表示画像の何れか一方又は両方から構成される前記表示内容を生成する表示内容生成部と、
を備えたことを特徴とする請求項２又は３に記載の空調用リモートコントローラー。
【請求項５】
前記比較部は、
運転中、運転停止、通常運転モード及び前記特殊運転モードから構成される運転モード、設定温度、設定湿度、風速、及び風向の少なくとも１つに関する情報から構成される前記第１情報と、
前記運転中、前記運転停止、前記運転モード、前記設定温度、前記設定湿度、前記風速、及び前記風向の少なくとも１つに関する情報から構成される前記第２情報と、を比較する
ことを特徴とする請求項４に記載の空調用リモートコントローラー。
【請求項６】
前記表示内容生成部は、
前記第１情報と、前記第２情報とが不一致である旨と、
前記第１情報と、前記第２情報とが不一致となった原因と、
前記第１情報と、前記第２情報とが不一致である場合、前記第１情報と、前記第２情報とを一致させる方法と、に関する前記表示内容をそれぞれ生成する
ことを特徴とする請求項５に記載の空調用リモートコントローラー。
【請求項７】
前記制御部は、
前記不一致である旨と、前記不一致となった原因と、前記一致させる方法と、を一画面に同時に表示する
ことを特徴とする請求項６に記載の空調用リモートコントローラー。
【請求項８】
前記制御部は、
前記不一致である旨と、前記不一致となった原因と、前記一致させる方法と、を一画面ずつ順に表示する
ことを特徴とする請求項６に記載の空調用リモートコントローラー。
【請求項９】
前記制御部は、
予め設定された時間が経過した場合、又は、前記情報取得ボタン及び前記複数の操作ボタンの何れかが操作された場合、前記不一致である旨と、前記不一致となった原因と、前記一致させる方法と、を順に表示する
ことを特徴とする請求項８に記載の空調用リモートコントローラー。
【請求項１０】
前記室内機は、人の存否を検知するセンサ部を備え、
前記制御部は、
予め複数の原因情報が設定され、
前記複数の原因情報の中から、前記不一致となった原因が、前記センサ部で人の存在を検知することで自動的に起動する自動ＯＮモードによる前記特殊運転モードであると紐付けする
ことを特徴とする請求項９に記載の空調用リモートコントローラー。
【請求項１１】
前記室内機は、人の存否を検知するセンサ部を備え、
前記制御部は、
予め複数の原因情報が設定され、
前記複数の原因情報の中から、前記不一致となった原因が、前記センサ部で人の不在を検知することで自動的に停止する自動ＯＦＦモードによる前記特殊運転モードであると紐付けする
ことを特徴とする請求項９に記載の空調用リモートコントローラー。
【請求項１２】
前記室内機は、人の存否又は人の活動量を検知するセンサ部を備え、
前記制御部は、
予め複数の原因情報が設定され、
前記複数の原因情報の中から、前記不一致となった原因が、前記センサ部で人の存在又は人の活動量の低下を検知することで自動的に運転をセーブする自動セーブモードによる前記特殊運転モードであると紐付けする
ことを特徴とする請求項９に記載の空調用リモートコントローラー。
【請求項１３】
前記室内機は、室温又は人体の体感温度を検知するセンサ部を備え、
前記制御部は、
予め複数の原因情報が設定され、
前記複数の原因情報の中から、前記不一致となった原因が、前記センサ部で室温又は人体の体感温度を検知することで前記運転モード、前記室内機の設定温度、該室内機の風速及び風向を制御する自動制御モードによる前記特殊運転モードであると紐付けする
ことを特徴とする請求項９に記載の空調用リモートコントローラー。
【請求項１４】
前記室内機は、前記制御指令を送受信する送受信部を備え、
前記制御部は、
予め複数の原因情報が設定され、
前記複数の原因情報の中から、前記不一致となった原因が、前記空調用リモートコントローラーとは異なるリモートコントローラー、ビル内の空調を統括管理する集中管理センター、及び家庭内の消費電力を管理するエネルギー管理センターの何れかに基づいた前記制御指令であると紐付けする
ことを特徴とする請求項９に記載の空調用リモートコントローラー。
【請求項１５】
前記第２情報を、前記第１情報に一致させる第１情報側一致ボタンを備え、
前記制御部は、
前記第１情報側一致ボタンが操作された場合、前記設定状態情報保持部が保持する前記第２情報を、前記運転状態情報保持部が保持する前記第１情報に上書き更新する
ことを特徴とする請求項１０〜１４の何れか一項に記載の空調用リモートコントローラー。
【請求項１６】
前記第１情報を、前記第２情報に一致させるように、該第２情報を室内機へ向け、送信させる第２情報側一致ボタンを備え、
前記表示内容生成部は、
前記第１情報側一致ボタン及び前記第２情報側一致ボタンの何れか一方への選択を促進させる促進内容を生成し、
前記表示部は、
前記促進内容を表示する
ことを特徴とする請求項１０〜１４の何れか一項に記載の空調用リモートコントローラー。
【請求項１７】
空調用リモートコントローラーからの制御指令を受信する室内機であって、
前記空調用リモートコントローラーの設定内容を送受信する送受信部と、
前記空調用リモートコントローラーの設定内容と、前記室内機の運転内容とを比較する制御部と、
を備え、
前記制御部は、
前記室内機が判断して動作する特殊運転モード中に、前記室内機の運転内容と、前記空調用リモートコントローラーの設定内容とが一致しない場合、前記空調用リモートコントローラーへ、前記室内機の運転内容と前記空調用リモートコントローラーの設定内容とが不一致である旨と、現在の前記室内機の運転内容と、を前記送受信部により送信させ、
前記室内機が判断して動作する特殊運転モード中に、前記室内機の運転内容と、前記空調用リモートコントローラーの設定内容とが一致する場合、前記空調用リモートコントローラーへ、現在の前記室内機の運転内容を前記送受信部により送信させる
ことを特徴とする室内機。
【請求項１８】
前記室内機の運転内容と、前記空調用リモートコントローラーの設定内容とが不一致である場合、その旨を報知する報知部を備えた
ことを特徴とする請求項１７に記載の室内機。
【請求項１９】
請求項１〜１６の何れか一項に記載の空調用リモートコントローラーと、
前記空調用リモートコントローラーからの制御指令を受信する請求項１７又は１８に記載の室内機と、該室内機と冷媒配管を介して接続された室外機とで構成される空気調和機と、
を備えたことを特徴とする空気調和システム。
【請求項２０】
前記空気調和機と、電話回線網又はＩＰ網を介して、該空気調和機の前記室内機の運転内容及び前記制御指令の何れか一方を送受信するエネルギー管理システムを備えた
ことを特徴とする請求項１９に記載の空気調和システム。
【発明の詳細な説明】
【技術分野】
【０００１】
本発明は、空調用リモートコントローラー、室内機、及び空気調和システムに関する。
【背景技術】
【０００２】
従来の空気調和機の空調用リモートコントローラーには、室内機の運転内容と、空調用リモートコントローラーの設定内容とが不一致であれば、その旨を表示部により点滅表示させるようにしたものがあった（例えば、特許文献１参照）。
【先行技術文献】
【特許文献】
【０００３】
【特許文献１】特開２００２−８１７２４号公報（段落［００１０］）
【発明の概要】
【発明が解決しようとする課題】
【０００４】
しかしながら、近年の空気調和機の中には、焦電センサー、サーモパイルセンサー、輻射センサー、温湿度センサー、及びカメラ等の各種センサーが搭載され、その各種センサーで検知した各種情報に基づいて、自動的に運転状態が変更されるものがある。特許文献１に記載されているような空調用リモートコントローラーでは、ただ単純に、室内機の運転内容と、空調用リモートコントローラーの設定内容とが不一致である旨を表示するだけであり、不一致となった原因を報知することもなく、その不一致状態から一致状態へと導く方法を報知することもなかった。
この結果、ユーザーの使い勝手や利便性を向上させることができないという問題点があった。
【０００５】
本発明は、上記のような問題点を解決するためになされたもので、自動的に運転状態が変更され、室内機の運転内容と、空調用リモートコントローラーの設定内容とが不一致である場合、不一致である旨と、不一致となった原因と、不一致状態から一致状態へと導く方法とを表示部により報知することができる空調用リモートコントローラー、室内機、及び空気調和システムを提供することを目的とするものである。
【課題を解決するための手段】
【０００６】
本発明の空調用リモートコントローラーは、室内機に制御指令を送信する空調用リモートコントローラーであって、前記室内機の運転内容を受信する送受信部と、前記室内機の運転内容と、前記空調用リモートコントローラーの設定内容とを比較する制御部と、前記制御部による比較結果に基づいた表示内容を表示する表示部と、を備え、前記制御部は、前記室内機が判断して動作する特殊運転モード中に、前記室内機の運転内容と、前記空調用リモートコントローラーの設定内容とが不一致である場合、前記室内機の運転内容と前記空調用リモートコントローラーの設定内容とが不一致である旨と、該不一致となった原因及び前記室内機の運転内容と前記空調用リモートコントローラーの設定内容とを一致させる方法の少なくとも一方と、を前記表示部により報知させるものである。
【発明の効果】
【０００７】
本発明は、自動的に運転状態が変更され、室内機の運転内容と、空調用リモートコントローラーの設定内容とが不一致である場合、不一致である旨と、不一致となった原因と、不一致状態から一致状態へと導く方法とを表示部により報知する。これにより、運転内容と設定内容とが不一致である旨と、不一致となった原因と、不一致状態から一致状態へと導く方法とをユーザーに報知することができる。したがって、ユーザーの使い勝手や利便性を向上させることができるという効果を有する。
【図面の簡単な説明】
【０００８】
【図１】本発明の実施の形態１における空気調和システム１の概略構成を示す図である。
【図２】本発明の実施の形態１における室内機１１及び空調用リモートコントローラー５の電気的な構成例を示すブロック図である。
【図３】本発明の実施の形態１における記憶部８９に格納されるコード対応テーブル９８の一例を示す図である。
【図４】本発明の実施の形態１における記憶部５４に格納されるコード対応テーブル６８の一例を示す図である。
【図５】本発明の実施の形態１における空調用リモートコントローラー５の外観の構成例を示す図である。
【図６】本発明の実施の形態１における制御部５１及び制御部８１の制御例を説明するフローチャートである。
【図７】本発明の実施の形態１における特殊運転モード中でない場合の記憶部８９に格納されるコード対応テーブル９８の一例を示す図である。
【図８】本発明の実施の形態１における運転状態情報と設定状態情報とが一致する場合の空調用リモートコントローラー５の表示例を示す図である。
【図９】本発明の実施の形態１における特殊運転モード中である場合の記憶部８９に格納されるコード対応テーブル９８の一例を示す図である。
【図１０】本発明の実施の形態１における運転状態情報と設定状態情報とが一致しない場合の空調用リモートコントローラー５の表示例を示す図である。
【図１１】本発明の実施の形態１における運転状態情報と設定状態情報とが一致しない場合の空調用リモートコントローラー５の別の表示例を示す図である。
【図１２】本発明の実施の形態１における運転状態情報と設定状態情報とが一致しない場合の空調用リモートコントローラー５の分割第１表示例を示す図である。
【図１３】本発明の実施の形態１における運転状態情報と設定状態情報とが一致しない場合の空調用リモートコントローラー５の分割第２表示例を示す図である。
【図１４】本発明の実施の形態１における運転状態情報と設定状態情報とが一致しない場合の空調用リモートコントローラー５の分割第３表示例を示す図である。
【図１５】本発明の実施の形態１における空調用リモートコントローラー５の外観の他の構成例を示す図である。
【図１６】本発明の実施の形態２における室内機１１及び空調用リモートコントローラー５の電気的な構成例を示すブロック図である。
【図１７】本発明の実施の形態２における制御部５１及び制御部８１の制御例を説明するフローチャートである。
【図１８】本発明の実施の形態３における空気調和システム１の概略構成を示す図である。
【発明を実施するための形態】
【０００９】
以下、本発明の実施の形態について、図面を用いて詳細に説明する。
【００１０】
実施の形態１．
図１は、本発明の実施の形態１における空気調和システム１の概略構成を示す図である。図１に示すように、空気調和システム１は、室内機１１及び室外機１５を備える空気調和機３と、空調用リモートコントローラー５とが通信媒体を介して相互通信するものである。つまり、空調用リモートコントローラー５は、室内機１１と相互通信することにより、制御指令及び空気調和機３の室内機１１の運転内容に関する情報等を送受信するものである。
【００１１】
なお、空調用リモートコントローラー５の外観の構成例、内部の構成例、処理の詳細については後述する。
また、通信媒体は特に限定するものではない。通信媒体は、例えば、無線であってもよく、有線であってもよい。また、上記の説明においては、室内機１１が空調用リモートコントローラー５と相互通信を行う一例について説明したが、特にこれに限定するものではない。例えば、図示はしていないが、室外機１５が空調用リモートコントローラー５と相互通信を行うことにより、空気調和機３の室内機１１の運転内容に関する情報等を送受信してもよい。
【００１２】
空気調和機３は、図示しない冷媒回路を備え、冷房運転や暖房運転により室内に冷風や温風等を供給する。冷媒回路は、冷媒が充填されており、冷媒配管内を冷媒が循環することで蒸気圧縮式の冷凍サイクルを行うものである。冷媒回路は、例えば、室外機１５に設けられる圧縮機、室内機１１に設けられる室内熱交換器、室外機１５に設けられる膨張弁、及び室外機１５に設けられる室外熱交換器（いずれも図示せず）が接続されて形成されるものである。
【００１３】
図２は、本発明の実施の形態１における室内機１１及び空調用リモートコントローラー５の電気的な構成例を示すブロック図である。図２に示すように、空調用リモートコントローラー５は、制御部８１、送受信部８３、表示部８５、操作部８７、記憶部８９等を備える。室内機１１は、制御部５１、送受信部５３、記憶部５４、センサー部５５、駆動部５７、及び報知部５８等を備える。
【００１４】
空調用リモートコントローラー５の電気的な構成例について説明する。なお、ここでは空調用リモートコントローラー５の機能構成について説明する。空調用リモートコントローラー５の外観に関する説明については図５を用いて後述し、動作に関する説明については図６〜１１を用いて後述する。
【００１５】
制御部８１は、記憶部８９から処理プログラム等を読出し、一定のクロックを供給する図示しない発信器の周波数に基づいて実行する。制御部８１は、ユーザーにより操作部８７が操作されたとき、その操作に対応して、空気調和機３を制御するコードである制御指令を送受信部８３に供給したり、操作部の操作結果を表示部８５に供給したりする。
具体的には、制御部８１は、運転状態情報保持部９１、設定状態情報保持部９２、表示内容生成部９４、及び比較部９６を備える。
【００１６】
制御部８１は、例えば、マイクロプロセッサユニットを主体として構成されるため、そのマイクロプロセッサユニットと連係するレジスタやキャッシュメモリ（いずれも図示せず）等により、運転状態情報保持部９１及び設定状態情報保持部９２が形成される。
運転状態情報保持部９１は、室内機１１の送受信部５３から取得した室内機１１の運転内容に関する情報を保持するものである。室内機１１の運転内容とは、例えば、特殊運転情報、運転状態情報、及びお知らせ情報である。これらの情報が符号化されてコードとなったものが運転状態情報保持部９１に保持される。
【００１７】
設定状態情報保持部９２は、空調用リモートコントローラー５に設定された設定内容に関する情報を保持するものである。例えば、設定状態情報保持部９２には、操作部８７の操作信号により、上記で説明した運転状態情報が保持される。
すなわち、設定状態情報保持部９２には、操作部８７の操作信号に基づいて生成された運転状態情報が符号化されてコードとなったものが保持される。
【００１８】
制御部８１は、表示内容生成部９４を備える。表示内容生成部９４は、運転状態情報保持部９１、設定状態情報保持部９２、比較部９６の比較結果、及び記憶部８９から入力される表示文字、表示画像データ等に基づき２次元または３次元の画像を生成して、表示部８５に供給する。
【００１９】
制御部８１は、比較部９６を備える。比較部９６は、運転状態情報保持部９１に保持されている情報と、設定状態情報保持部９２に保持されている情報とに基づいて、両者が不一致であるか否かを比較する。すなわち、比較部９６は、運転状態情報保持部９１に保持されているコードと、設定状態情報保持部９２に保持されているコードとを比較する処理を実行する。
【００２０】
送受信部８３は、制御部８１から供給されるコードを送信用に変調処理して、その変調された送信信号を室内機１１に送信する。送受信部８３は、室内機１１の送受信部５３から供給されるコードを受信用に復調処理して、その復調された受信信号を制御部８１に供給する。
表示部８５は、記憶部８９に格納されているデータを表示したり、制御部８１の処理結果を表示するものである。
操作部８７は、各種操作ボタンが押下されると各操作ボタンに対応したコードが生成され、生成されたコードが空調用リモートコントローラー５の内部制御を行う制御部８１に供給される。なお、各種操作ボタンの詳細については、図５を用いて後述する。
【００２１】
記憶部８９は、例えば、書換え可能なＲＡＭ（Ｒａｎｄｏｍ  Ａｃｃｅｓｓ  Ｍｅｍｏｒｙ）を用いて、一時的にデータを保存する。記憶部８９は、例えば、読出しのみ可能なＲＯＭ（Ｒｅａｄ  Ｏｎｌｙ  Ｍｅｍｏｒｙ）を用いて、処理プログラム、パラメータ、各種操作ボタンに対応するコード、及び室内機１１から取得したコードに対応する情報等が記憶してある。すなわち、記憶部８９は、ＲＡＭやＲＯＭ等から構成されている。
記憶部８９は、図３を用いて詳述するコード対応テーブル９８を備える。コード対応テーブル９８は、コードと、そのコードに対応する各種内容とを紐付けするテーブルであり、詳細については図３を用いて説明する。
なお、記憶部８９は、コード対応テーブル９８の他にも、処理プログラムや各種データ等を備えているが、その図示については省略する。例えば、記憶部８９は、表示内容生成部９４が各種画像を生成するときに用いられる表示画像に関する各種テンプレート画像データ等や各種文字を生成するときに用いられる表示文字に関する各種テンプレート文字データ等を保持している。
【００２２】
室内機１１の電気的な構成例について説明する。制御部５１は、記憶部５４から処理プログラム等を読出し、一定のクロックを供給する図示しない発信器の周波数に基づいて実行する。制御部５１は、センサー部５５で検知した検知値に基づいて、空気調和機３を制御する。例えば、制御部５１は、圧縮機、四方弁、室外ファン、室内ファン、及び膨張弁を制御する制御命令を駆動部５７に供給する。
【００２３】
制御部５１は、空気調和機３の稼働中、運転状態情報６１、お知らせ情報６２、及び特殊運転情報６３等を記憶部５４に格納する。制御部５１は、空調用リモートコントローラー５へ、記憶部５４に格納した運転状態情報６１、お知らせ情報６２、及び特殊運転情報６３等を送受信部５３により送信させる場合、記憶部５４に格納されているコード対応テーブル６８に基づいて符号化してコードとなったものを変調して送信する。
【００２４】
送受信部５３は、制御部５１から供給されるコードを送信用に変調処理して、その変調された送信信号を空調用リモートコントローラー５に送信する。送受信部５３は、空調用リモートコントローラー５の送受信部８３から供給されるコードを受信用に復調処理して、その復調された受信信号を制御部５１に供給する。
【００２５】
記憶部５４は、例えば、書換え可能なＲＡＭ（Ｒａｎｄｏｍ  Ａｃｃｅｓｓ  Ｍｅｍｏｒｙ）を用いて、一時的にデータを保存する。記憶部５４は、例えば、読出しのみ可能なＲＯＭ（Ｒｅａｄ  Ｏｎｌｙ  Ｍｅｍｏｒｙ）を用いて、処理プログラム、パラメータ、各種コード、及び空調用リモートコントローラー５から取得したコードに対応する情報等が記憶してある。すなわち、記憶部５４は、ＲＡＭやＲＯＭ等から構成されている。
記憶部５４は、図４を用いて詳述するコード対応テーブル６８を備える。コード対応テーブル６８は、コードと、そのコードに対応する各種内容とを紐付けするテーブルである。
【００２６】
センサー部５５は、例えば、焦電センサー、サーモパイルセンサー、輻射センサー、温湿度センサー、及びカメラ等により形成されるものである。室内機１１は、特殊運転モードや通常運転モードによる運転を行う場合、センサー部５５で検知した検知値を利用する。例えば、特殊運転モード実行中、センサー部５５がサーモパイルセンサー等により空気調和対象となる屋内に人が不在となったことを検知した場合、制御部５１は、自動ＯＦＦモードに移行する。また、この後、センサー部５５が人が存在することを検知した場合、制御部５１は、自動ＯＮモードに移行する。
【００２７】
通常運転モード及び特殊運転モードについて具体的に説明する。室内機１１には、通常運転モードと特殊運転モードとが組み込まれている。
通常運転モードは、例えば、後述するシーンセレクトボタン８７ｂが押下された場合に実行される運転モードである。詳細については後述するが、「全体を暖めたい」というシーンが選択された場合、室内機１１は上述した各種センサによりセンシングをしながら、その要望に基づいて制御を行う。また、通常運転モードは、この他にも、冷房運転、暖房運転、除湿運転、及び送風運転等の運転も含まれる。
一方、特殊運転モードは、空調用リモートコントローラー５の設定内容とは独立して動作する運転モードである。例えば、詳細については後述するが、「自動ＯＮモード」が室内機１１により実行中の場合、空調用リモートコントローラー５の設定内容が「運転ＯＦＦ」であったとしても、室内機１１は、各種センサによりセンシングした結果、人の在室を検知したとき、自動的に運転ＯＮに室内機１１の制御状態を遷移する。
【００２８】
駆動部５７は、例えば、上下風向調整羽根であるフラップの角度や左右風向調整羽根であるルーバーの角度等についても制御する。
【００２９】
報知部５８は、制御部５１による特殊運転モードが実行中、空調用リモートコントローラー５から取得した運転状態情報と、室内機１１が保持する運転状態情報６１とが異なる場合、空調用リモートコントローラー５から取得した運転状態情報と、室内機１１が保持する運転状態情報６１とが異なることを報知する。例えば、報知部５８は、音や光等により通常の運転状態ではない旨を報知する。具体的には、報知部５８は、発光素子としてＬＥＤ（Ｌｉｇｈｔ  Ｅｍｉｔｔｉｎｇ  Ｄｉｏｄｅ：発光ダイオード）で構成されている場合、ＬＥＤを所定の間隔、例えば、１秒ごとに点滅させることで通常の運転状態ではない旨を報知する。
【００３０】
なお、報知部５８は、空調用リモートコントローラー５から取得した運転状態情報と、室内機１１が保持する運転状態情報６１とが異なる場合、例えば、通常時と比較して、ＬＥＤの点滅間隔を変えてもよい。具体的には、報知部５８は、点滅間隔を早くしてユーザーにその旨を報知してもよい。また、報知部５８は、点滅間隔を最初短くし、その後、段階的に点滅間隔を長くすることでその旨を報知してもよい。要するに、通常と異なる状態であることが報知されればよい。
また、報知部５８は、ブザーで構成されている場合、ブザーを所定の間隔、例えば、２秒ごとに鳴動することで通常の運転状態ではない旨を報知する。
なお、上記で説明した報知部５８の構成は一例を示すものであり、特にこれに限定するものではない。
【００３１】
図３は、本発明の実施の形態１における記憶部８９に格納されるコード対応テーブル９８の一例を示す図である。図３に示すように、コード対応テーブル９８には、特殊運転情報、運転状態情報、及びお知らせ情報が格納されることとなっている。このうち、空調用リモートコントローラー５の設定内容は、運転状態情報である。また、室内機１１の運転内容は、特殊運転情報、運転状態情報及びお知らせ情報である。
【００３２】
運転状態情報は、通常運転モードに関する情報、具体的には、室内機１１が室外機１５と連係して動作する際の通常運転に関する情報であり、その情報が符号化されてコードとなったものである。つまり、運転状態情報は、室内機１１の運転内容に関する情報である。
ただし、後述するように、運転状態情報の中にも、特殊運転モードである場合を示すコードが含まれるようにしてある。つまり、運転状態情報が確認されることで、特殊運転モードであるか否かが判定でき、さらに、特殊運転モードである場合には、後述するように、特殊運転情報が確認されればその詳細が判別できるようなデータ構造にしてある。
【００３３】
特殊運転情報は、特殊運転モードに関する情報である。特殊運転モードは、上記の一例で説明したように、室内機１１が、空調用リモートコントローラー５で設定された設定内容に基づいた制御ではなく、各種センサの検知結果に基づいて自動的に制御を実行する運転モード又は後述するサブリモートコントローラー６等での操作による運転モードである。また、特殊運転情報は、その情報が符号化されてコードとなったものである。
よって、特殊運転情報は、空調用リモートコントローラー５以外の制御指令により制御される場合に使用されるコードである。
【００３４】
お知らせ情報は、空気調和機３の現在の稼働状況に対し、省エネを促進させる提案情報であり、その情報が符号化されてコードとなったものである。
【００３５】
特殊運転情報の項目には、コードが格納され、そのコードに該当する状態不一致原因対応テーブルが紐付けされる。
運転状態情報の項目には、コードとそのコードに対応するコード対応情報とが格納され、そのコードに該当する運転状態情報対応テーブルが紐付けされる。
お知らせ情報の項目には、コードが格納され、そのコードに該当するお知らせ対応テーブルが紐付けされる。
【００３６】
状態不一致原因対応テーブルは、コードと、そのコードに対応する内容、すなわち不一致原因とが紐付けされたテーブルであり、各不一致原因を改善する状態一致方法情報がさらに紐付けされる。
例えば、コード１の場合、その不一致原因として自動ＯＮモードが割り当てられ、それに対する改善策がコード１用状態一致方法情報として紐付けされている。また、コード２の場合、その不一致原因として自動ＯＦＦモードが割り当てられ、それに対する改善策がコード２用状態一致方法情報として紐付けされている。また、コード３の場合、その不一致原因として自動セーブモードが割り当てられ、それに対する改善策がコード３用状態一致方法情報として紐付けされている。また、コード４の場合、その不一致原因として自動制御モードが割り当てられ、それに対する改善策がコード４用状態一致方法情報として紐付けされている。また、コード５の場合、その不一致原因として他リモートコントローラー等での操作が割り当てられ、それに対する改善策がコード５用状態一致方法情報として紐付けされている。また、コード９９の場合、その不一致原因として送受信失敗が割り当てられ、それに対する改善策がコード９９用状態一致方法情報として紐付けされている。
【００３７】
なお、後述するように、特殊運転モードに該当するものは、コード１〜５であり、上記で説明したコード９９は、特殊運転モードに該当しない。
【００３８】
自動ＯＮモードとは、後述するセンサー部５５で検知した検知値に基づいて、自動的に空気調和機３の運転が開始されているモードである。例えば、センサー部５５にサーモパイルセンサーが設けられている場合、屋内での人の存否を検知することが可能となる。そこで、屋内において、人が不在の状態から人が存在する状態へ移行した場合、自動的に空気調和機３の運転が開始するモードが自動ＯＮモードである。
【００３９】
自動ＯＦＦモードとは、後述するセンサー部５５で検知した検知値に基づいて、自動的に空気調和機３の運転が停止されているモードである。例えば、センサー部５５にサーモパイルセンサーが設けられている場合、屋内での人の存否を検知することが可能となる。そこで、屋内において、人が存在する状態から人が不在の状態へ移行した場合、自動的に空気調和機３の運転が停止するモードは自動ＯＦＦモードとして設定されている。
【００４０】
自動セーブモードとは、後述するセンサー部５５で検知した検知値に基づいて、自動的に空気調和機３の運転が省エネ側で稼働しているモードである。例えば、室内機１１は、冷房運転のときには、設定温度を高めに再設定し、暖房運転のときには、設定温度を低めに再設定する。これにより、省エネ側、すなわち、省電力となるように空調運転が制御される。
【００４１】
自動制御モードとは、後述するセンサー部５５で室温や人体の体感温度等を検知した検知値に基づいて、各運転モードや設定温度、風速や風向等を自動制御するモードである。例えば、センサー部５５に輻射センサーや温湿度センサーが設けられている場合、室温や人体の体感温度を検知することが可能となる。そこで、屋内で室温や人体の体感温度を検知した場合、各運転モードや設定温度、風速や風向等を自動制御するモードが自動制御モードである。
他リモートコントローラー等での操作とは、図１８を用いて後述するように、サブリモートコントローラー６からの操作や、図１８で後述するエネルギー管理システム７での操作等による制御指令により空気調和機３の運転が制御される操作である。
【００４２】
以上、自動ＯＮモード、自動ＯＦＦモード、自動セーブモード、自動制御モード、及び他リモートコントローラー等での操作の何れかが特殊運転モードに該当し、次に説明する送受信失敗は、特殊運転モードに該当しない。なお、上記で説明した特殊運転モードは一例を示すものであり、特にこれに限定するものではない。
【００４３】
送受信失敗とは、図６を用いて後述するように、特殊運転モード中ではないのに運転状態情報と設定状態情報とが一致しない場合に相当する。
なお、上記の説明で用いたコードは一例を示すものであり、特にこれに限定するものではない。
【００４４】
運転状態情報対応テーブルは、コードと、そのコードに対応する内容とが紐付けされたテーブルである。
例えば、コード１０１の場合、その内容として運転ＯＮが割り当てられている。また、コード１０２の場合、その内容として運転ＯＦＦが割り当てられている。また、コード１０３の場合、その内容として冷房が割り当てられている。また、コード１０４の場合、その内容として暖房が割り当てられている。また、コード１０５の場合、その内容として除湿が割り当てられている。また、コード１０６の場合、その内容として送風が割り当てられている。また、コード１０７の場合、その内容として特殊運転モードが割り当てられている。また、コード１０８の場合、その内容として設定温度が割り当てられている。また、コード１０９の場合、その内容として設定湿度が割り当てられている。また、コード１１０の場合、その内容として風速が割り当てられている。また、コード１１１の場合、その内容として風向が割り当てられている。
【００４５】
なお、コード１０３〜１０６については、運転状態情報の項目には、コードの他に、コード対応情報が格納される。例えば、コード１０３には冷房運転が割り当てられているため、コード１０８に対応する設定温度に関する情報、コード１１０に対応する風速に関する情報、及びコード１１１に対応する風向に関する情報が格納される。
つまり、コードには、コード１０３、１０８、コード１１０、及びコード１１１が格納され、コード対応情報として、各コードに対応する情報が互いに識別可能な形式でコード対応情報に格納される。
なお、コード１０３〜１０６及びランドリーに相当するコード（図示せず）が、通常運転モードに相当するものである。
【００４６】
お知らせテーブルは、コードと、そのコードに対応する内容とが紐付けされたテーブルであり、その各内容の方法情報がさらに紐付けされている。
例えば、コードａの場合、その内容として窓開き検知が割り当てられ、それに対する方法がコードａ用お知らせ方法情報として紐付けされている。また、コードｂの場合、その内容としてセーブ運転推奨が割り当てられ、それに対する方法がコードｂ用お知らせ方法情報として紐付けされている。また、コードｃの場合、その内容として運転停止推奨が割り当てられ、それに対する方法がコードｃ用お知らせ方法情報として紐付けされている。また、コードｄの場合、その内容として最適運転が割り当てられ、それに対する方法がコードｄ用お知らせ方法情報として紐付けされている。また、コードｅの場合、その内容として故障が割り当てられ、それに対する方法がコードｅ用お知らせ方法情報として紐付けされている。
なお、コードが特に設定されていない場合、その内容としてはブランク状態であり、それに対する方法がダミー情報として紐付けされている。
【００４７】
窓開き検知とは、窓やカーテンが開いていることがお知らせ内容として設定されている。セーブ運転推奨とは、セーブ運転した方が省エネになることがお知らせ内容として設定されている。運転停止推奨とは、運転停止した方が良いことがお知らせ内容として設定されている。最適運転とは、最適運転した方が良いことがお知らせ内容として設定されている。故障とは、故障している可能性が高いことがお知らせ内容として設定されている。
【００４８】
なお、各コードと、各テーブルとが紐付けされた一例については図７〜１１を用いて後述する。また、上記の説明では、空調用リモートコントローラー５の設定内容に関するコード対応テーブル９８の一例について説明した。室内機１１で設定された運転内容に関するコード対応テーブル６８については、コード対応テーブル９８に対し、状態不一致原因対応テーブルに各コード用状態一致方法情報が削除され、お知らせ対応テーブルに各コード用お知らせ方法情報が削除されたものであってもよい。
なお、これらの各種情報は削除されていなくてもよい。また、上記の説明で用いたコードは一例を示すものであり、特にこれに限定するものではない。
【００４９】
上記のようなコード対応テーブル９８の構成を前提として、例えば、空調用リモートコントローラー５は、設定状態情報保持部９２に格納されたコードを処理するときには、コード対応テーブル９８に、そのコードを展開させ、運転状態情報と運転状態情報対応テーブルとの紐付けが形成され、お知らせ情報とお知らせ対応テーブルとの紐付けが形成される。
また、例えば、空調用リモートコントローラー５は、運転状態情報保持部９１に格納されたコードを処理するときには、コード対応テーブル９８に、そのコードを展開させ、特殊運転情報と状態不一致原因対応テーブルとの紐付けが形成され、運転状態情報と運転状態情報対応テーブルとの紐付けが形成され、お知らせ情報とお知らせ対応テーブルとの紐付けが形成される。
【００５０】
図４は、本発明の実施の形態１における記憶部５４に格納されるコード対応テーブル６８の一例を示す図である。なお、空調用リモートコントローラー５と同様の構成についての説明は省略する。つまり、ここでは、特殊運転情報及びそれに紐付けされている状態不一致原因対応テーブルの構成について説明する。図４に示すように、室内機１１の運転内容は、特殊運転情報、運転状態情報、及びお知らせ情報である。
特殊運転情報として、コードが格納され、そのコードに該当する状態不一致原因対応テーブルが紐付けされる。
【００５１】
状態不一致原因対応テーブルは、コードと、そのコードに対応する内容、すなわち不一致原因とが紐付けされたテーブルである。
例えば、コード１の場合、その不一致原因として自動ＯＮモードが割り当てられている。また、コード２の場合、その不一致原因として自動ＯＦＦモードが割り当てられている。また、コード３の場合、その不一致原因として自動セーブモードが割り当てられている。また、コード４の場合、その不一致原因として自動制御モードが割り当てられている。また、コード５の場合、その不一致原因として他リモートコントローラー等での操作が割り当てられている。また、コード９９の場合、その不一致原因として送受信失敗が割り当てられている。
なお、上述したように、特殊運転モードに該当するものは、コード１〜４であり、上記で説明したコード５及びコード９９は、特殊運転モードに該当しない。
【００５２】
自動ＯＮモード、自動ＯＦＦモード、自動セーブモード、自動制御モード、他リモートコントローラー等での操作、及び送受信失敗については、上述したものと同様であるため、ここではその詳細についての説明は省略する。
なお、上記の説明で用いたコードは一例を示すものであり、特にこれに限定するものではない。
【００５３】
このように、コード対応テーブル６８とコード対応テーブル９８との相違点は、コード対応テーブル６８に関しては各種方法情報に関する紐付けがなされていない点である。その理由は、室内機１１側で各種方法情報を紐付けする必要がないためである。なお、室内機１１側で各種方法を報知する構成となった場合には、当然の如く、それらの情報は必要であるため、紐付けされていることとなる。
なお、記憶部５４は、運転状態情報６１、お知らせ情報６２、及び特殊運転情報６３を制御部５１から供給される都度格納する。
【００５４】
図５は、本発明の実施の形態１における空調用リモートコントローラー５の外観の構成例を示す図である。図５に示すように、空調用リモートコントローラー５は、合成樹脂等により略直方体状の筐体１７に成型してあり、送受信部８３、表示部８５、及び操作部８７を備える。
なお、空調用リモートコントローラー５の奥行きについての図示は省略する。
【００５５】
送受信部８３は、上記で説明したように、符号化されてコードとなった室内機１１の運転内容や制御指令等の信号等を室内機１１と送受信する。送受信部８３は、例えば、発光素子としてＬＥＤを用いて赤外線信号を送信するＬＥＤと、受光素子としてフォトダイオードを用いて赤外線信号を受信するフォトダイオードとから形成される。
なお、室内機１１に搭載される送受信部５３も同様の構成で実現可能である。
【００５６】
表示部８５は、例えば、液晶表示装置等で構成され、空気調和機３の空調用リモートコントローラー５による設定内容や空気調和機３の運転内容等を表す設定温度や運転モード等を表示する。
表示部８５は、室内機１１から情報を受信した後、室内機１１の運転内容と、空調用リモートコントローラー５により設定された設定内容とが一致である場合、省エネを促進させる方法について表示する。
表示部８５は、室内機１１から情報を受信した後、室内機１１の運転内容と、空調用リモートコントローラー５により設定された設定内容とが不一致である場合、不一致である旨と、不一致となった原因と、不一致を改善する方法とを表示する。
【００５７】
なお、室内機１１の運転内容と、空調用リモートコントローラー５により設定された設定内容とが一致である場合の省エネを促進させる方法の表示の詳細例については図８を用いて後述する。
また、室内機１１の運転内容と、空調用リモートコントローラー５により設定された設定内容とが不一致である場合の表示の詳細例については図１０、１１を用いて後述する。
【００５８】
操作部８７は、例えば、各種操作ボタン等で構成され、空気調和機３の運転を開始したり停止したり、空気調和機３の運転モードを変更したり、設定温度を変更したりする命令を受け付けるインタフェースである。
具体的には、操作部８７は、運転入／切ボタン８７ａ、シーンセレクトボタン８７ｂ、上三角ボタン８７ｃ、下三角ボタン８７ｄ、戻るボタン８７ｅ、メニューボタン８７ｆ、決定ボタン８７ｇ、情報ボタン８７ｈ、冷房ボタン８７ｉ、除湿ボタン８７ｊ、及び暖房ボタン８７ｋを備えている。
【００５９】
運転入／切ボタン８７ａは、空気調和機３の運転開始命令と停止命令とを受け付けるインタフェースである。空気調和機３が停止中に運転入／切ボタン８７ａが押下されると、空気調和機３は運転を開始し、表示部８５には空調用リモートコントローラー５に設定された運転モードと設定温度と設定湿度とが表示される。空気調和機３が運転中に運転入／切ボタン８７ａが押下されると、空気調和機３は運転を停止する。
【００６０】
シーンセレクトボタン８７ｂは、予め設定された想定される要望が、運転モード別に一覧表示されるインタフェースである。
例えば、運転モードが暖房の場合、想定される要望として、「足元を暖めたい」、「すぐに暖めたい」、「風をよけたい」、及び「全体を暖めたい」等が選択可能な一覧として表示される。
【００６１】
また、例えば、運転モードが冷房の場合、想定される要望として、「すぐに冷やしたい」、「風をよけたい」、及び「風で涼みたい」等が選択可能な一覧として表示される。また、例えば、運転モードが除湿の場合、想定される要望として、「除菌脱臭したい」、「送風にしたい」、「空気を回したい」、及び「快適に眠りたい」等が選択可能な一覧として表示される。
【００６２】
上三角ボタン８７ｃは、表示部８５に表示されている設定温度を上げる変更を受け付けるインタフェースである。上三角ボタン８７ｃは、例えば、１回押下されるごとに設定温度を所定の範囲上げる。温度の上げ幅は、例えば、＋０．５℃ずつ上げる処理が空気調和機３に対して実行される。また、温度の上げ幅は、例えば、＋１℃ずつ上げる処理が空気調和機３に対して実行される。なお、上記で説明した温度の上げ幅は一例を示すものであり、特にこれに限定するものではない。
また、上三角ボタン８７ｃは、表示部８５に表示される表示内容の位置をずらしたり、表示内容に提示されている項目を選択させる際にも利用される。
【００６３】
下三角ボタン８７ｄは、表示部８５に表示されている設定温度を下げる変更を受け付けるインタフェースである。下三角ボタン８７ｄは、例えば、１回押下されるごとに設定温度を所定の範囲下げる。温度の下げ幅は、例えば、−０．５℃ずつ下げる処理が空気調和機３に対して実行される。また、温度の下げ幅は、例えば、−１℃ずつ下げる処理が空気調和機３に対して実行される。なお、上記で説明した温度の下げ幅は一例を示すものであり、特にこれに限定するものではない。
また、下三角ボタン８７ｄは、表示部８５に表示される表示内容の位置をずらしたり、表示内容に提示されている項目を選択させる際にも利用される。
【００６４】
戻るボタン８７ｅは、表示部８５に表示されている画面を一つ前の画面に戻す等の処理を受け付けるインタフェースである。
メニューボタン８７ｆは、表示部８５に表示されているメニューの詳細設定を受け付けるインタフェースである。
決定ボタン８７ｇは、表示部８５に表示されている項目を設定したり、空気調和機３の稼働中に運転内容を確認したりする処理を受け付けるインタフェースである。
情報ボタン８７ｈは、室内機１１が保持する室内機１１の運転内容に関する情報を室内機１１へ要求する処理を受け付けるインタフェースである。情報ボタン８７ｈが押下された場合の処理の詳細については図６〜１１を用いて後述する。
【００６５】
冷房ボタン８７ｉは、空気調和機３に対し、運転モードが冷房の場合の動作要求を行う処理を受け付けるインタフェースである。
除湿ボタン８７ｊは、空気調和機３に対し、運転モードが除湿の場合の動作要求を行う処理を受け付けるインタフェースである。
暖房ボタン８７ｋは、空気調和機３に対し、運転モードが暖房の場合の動作要求を行う処理を受け付けるインタフェースである。
なお、図５において図示されている各種ボタンの形状は一例を示すものであり、特にこれに限定するものではない。
【００６６】
なお、上記の説明では、操作部８７は、各種ボタンから構成される一例について説明したが、特にこれに限定するものではない。例えば、表示部８５がタッチパネルディスプレイで構成されている場合には、表示部８５に操作部８７が形成されるものであってもよい。
また、空調用リモートコントローラー５に音声認識処理部が設けられている場合には、音声認識処理部が操作部８７に相当する機能を担っていてもよい。例えば、ユーザーが「運転ＯＮ」と声を発したときには、そのユーザーの音声を音声認識処理部にて構文解析し、構文解析したものに基づいて制御してもよい。具体的には、「運転」、「ＯＮ」とわかち書きを行い、その意味を紐付けすればよい。
また、空調用リモートコントローラー５にモーションキャプチャー機能を備えた撮像部が設けられている場合には、撮像部が眼球の動きを追うことにより、操作部８７の各種ボタンが指定されるようにしてもよい。例えば、眼球の動きの軌跡が「上三角ボタン８７ｃ」で停止した場合には、上三角ボタン８７ｃが指定されたとみなして処理を行えばよい。
【００６７】
なお、上記で説明した空調用リモートコントローラー５の外観構成は一例を示すものであり、特にこれに限定するものではない。例えば、各種ボタンの形状が略直方体であってもよい。
【００６８】
図６は、本発明の実施の形態１における制御部５１及び制御部８１の制御例を説明するフローチャートである。なお、図６においては、制御部５１と制御部８１とが互いに連係する処理を説明する。このため、ステップ番号が順番通りになっていない。具体的には、制御部８１の各処理の途中で、制御部５１の処理が入れ子となっている状態を説明する。  なお、制御部８１の制御例は、ステップＳ１０１〜Ｓ１１０の処理で説明し、制御部５１の制御例は、ステップＳ２０１〜Ｓ２０６の処理で説明する。
つまり、空調用リモートコントローラー５側の処理をステップＳ１０１〜Ｓ１１０で説明し、室内機１１側の処理をステップＳ２０１〜Ｓ２０６で説明する。
なお、以降で説明する処理は、空調用リモートコントローラー５と、室内機１１とが連係することにより実現されるものであるが、空調用リモートコントローラー５と、室外機１５とが直接連係することにより実現されるものであってもよい。
【００６９】
（ステップＳ１０１）
制御部８１は、情報ボタン８７ｈが押下されたか否かを判定する。制御部８１は、図５に示す情報ボタン８７ｈが押下された場合、ステップＳ１０２へ進む。一方、制御部８１は、図５に示す情報ボタン８７ｈが押下されない場合、ステップＳ１０１へ戻る。
【００７０】
（ステップＳ１０２）
制御部８１は、室内機１１へ情報取得要求を送信する。例えば、制御部８１は、室内機の運転内容として、運転状態情報、お知らせ情報、及び特殊運転情報を室内機１１が空調用リモートコントローラー５に供給する要求を送受信部８３により送信させる。
【００７１】
以後、室内機１１側の処理についてステップＳ２０１〜Ｓ２０６を用いて説明する。
（ステップＳ２０１）
制御部５１は、情報取得要求を受信したか否かを判定する。制御部５１は、情報取得要求を受信した場合、ステップＳ２０２へ進む。一方、制御部５１は、情報取得要求を受信しない場合、ステップＳ２０１へ戻る。
【００７２】
（ステップＳ２０２）
制御部５１は、特殊運転モード中であるか否かを判定する。制御部５１は、特殊運転モード中ではない場合、ステップＳ２０３へ進む。一方、制御部５１は、特殊運転モード中である場合、ステップＳ２０５へ進む。
【００７３】
（ステップＳ２０３）
制御部５１は、運転状態情報を取得する。制御部５１は、例えば、室内機１１の運転内容が冷房の場合、それに相当するコードと、そのコードに関連するコードと、それらのコード対応情報とを取得する。
【００７４】
具体的には、図７を用いて後述するように、冷房に該当するコードはコード１０３である。室内機１１の運転内容が冷房であれば、設定温度、設定湿度、風速、及び風向に関するコードが関連するコードとなる。そして、コード対応情報とは、設定温度値、設定湿度値、設定風速、及び設定風向に相当する情報となる。
より具体的には、制御部５１は、コードとして、コード１０３、コード１０８、コード１０９、コード１１０、及びコード１１１を取得する。また、制御部５１は、例えば、設定温度値２７．５℃、設定湿度値５０％、設定風速強、設定風向下に相当する情報が符号化されたものを取得する。例えば、設定温度値、設定湿度値、設定風速、及び設定風向のそれぞれに対応する桁を割り当て、１６進数で符号化したものを用いてもよい。なお、そのように符号化したものは、一つにまとめて一度に送信してもよく、所定の大きさに分割して送信し、受信側で分割されたものを再度一つにまとめてもよい。
【００７５】
（ステップＳ２０４）
制御部５１は、お知らせ情報を取得する。制御部５１は、例えば、室内機１１の運転内容が冷房の場合、冷房を阻害する要因をセンサー部５５で検知し、その検知結果に相当するコードを取得する。例えば、屋内に温かい場所が確認された場合、制御部５１は窓が開いていると判断し、コードａを取得する。
【００７６】
（ステップＳ２０５）
制御部５１は、特殊運転情報を取得する。制御部５１は、例えば、運転状態情報がコード１０７を示す場合、特殊運転モード中となる。この場合には、特殊運転情報のコードを取得する。例えば、自動ＯＮモードで特殊運転モード中の場合、コード１を取得する。
【００７７】
（ステップＳ２０６）
制御部５１は、取得した情報を送信する。制御部５１は、例えば、室内機１１の運転内容に関する情報として、特殊運転情報のコード、運転状態情報のコード、及びお知らせ情報のコードの中から組み合わせたものを送信し、ステップＳ１０３へ進む。
つまり、特殊運転情報のコード、運転状態情報のコード、及びお知らせ情報のコードの中から組み合わせたものは、本発明における「第１情報」に相当する。
次に、ステップＳ１０３に戻る。
【００７８】
（ステップＳ１０３）
制御部８１は、取得された情報を受信する。制御部８１は、受信した情報のうち、運転状態情報に関するコードを運転状態情報保持部９１に保持し、その他の情報については、記憶部８９に格納しておく。
【００７９】
（ステップＳ１０４）
制御部８１は、運転状態情報と設定状態情報とが一致するか否かを判定する。制御部８１は、運転状態情報と設定状態情報とが一致する場合、ステップＳ１０５へ進む。一方、制御部８１は、運転状態情報と設定状態情報とが一致しない場合、ステップＳ１０６へ進む。なお、このような一致判定処理は、制御部８１が備える比較部９６により実行され、その比較結果に基づいて、表示内容生成部９４が表示部８５に表示する画像を生成する。
【００８０】
ここで、運転状態情報と設定状態情報とが一致する場合（ステップＳ１０４ＹＥＳ）とは、特殊運転モード中ではない場合についての処理に相当する。そこで、この場合のコード対応テーブル９８の詳細について図７を用いて説明する。
【００８１】
図７は、本発明の実施の形態１における特殊運転モード中でない場合の記憶部８９に格納されるコード対応テーブル９８の一例を示す図である。
まず、制御部８１は、運転状態情報保持部９１で保持している運転状態情報に関するコードをコード対応テーブル９８上に展開しておく。また、前提として、ユーザーにより予め操作部８７の操作で設定された設定内容、すなわち、設定状態情報に関するコードが設定状態情報保持部９２に保持されていると想定する。
【００８２】
運転状態情報と設定状態情報とが一致する場合とは、両者のコードが一致する場合に相当する。このときのコードは、図７に示すように、コード１０３、１０８、１０９、１１０、及び１１０となっている。また、お知らせ情報には、コードａが展開されている。そして、コードａに対応する内容は、窓開き検知が設定され、それに関する方法情報がコードａ用お知らせ方法情報として紐付けされている。
【００８３】
一方、運転状態情報と設定状態情報とが一致しない場合（ステップＳ１０４ＮＯ）とは、特殊運転モード中である場合についての処理に相当する。そこで、この場合のコード対応テーブル９８の詳細については図９を用いてステップＳ１０６以降で説明する。
【００８４】
（ステップＳ１０５）
制御部８１は、受信した情報から表示内容を生成する。表示内容の一例について図８を用いて説明する。図８は、本発明の実施の形態１における運転状態情報と設定状態情報とが一致する場合の空調用リモートコントローラー５の表示例を示す図である。
図８に示すように、表示部８５には、「壁面に暖かい場所があります」、「カーテンやドアが開いていませんか？」、及び「閉めると省エネできます」といった内容の表示文字や表示画像が表示される。これらの内容は、図７で説明したコードａ用お知らせ方法情報に基づいて、図３で説明した表示内容生成部９４が作成したものである。
【００８５】
（ステップＳ１０６）〜（ステップＳ１０８）
ここで、ステップＳ１０６〜ステップＳ１０８の処理の各説明において、適宜、図８を用いて説明する。つまり、室内機１１が特殊運転モード中である場合のコード対応テーブル９８の詳細について説明する。図９は、本発明の実施の形態１における特殊運転モード中である場合の記憶部８９に格納されるコード対応テーブル９８の一例を示す図である。
【００８６】
制御部８１は、受信した情報に基づいて不一致状態情報を取得する。具体的には、まず、制御部８１は、運転状態情報に関するコードが特殊運転モード、すなわちコード１０７であるか否かを判定する。制御部８１は、運転状態情報に関するコードがコード１０７ではない場合、不一致状態情報として、状態不一致原因対応テーブルから該当するコードとして、コード９９を取得する。つまり、特殊運転モード中ではないのにもかかわらず、運転状態情報と設定状態情報とが一致しない場合とは、空調用リモートコントローラー５と室内機１１との情報の送受信が失敗していることに相当する。そのため、制御部８１は、送受信失敗に相当するコードであるコード９９を取得する（ステップＳ１０６〜Ｓ１０８）。
【００８７】
一方、制御部８１は、運転状態情報に関するコードにコード１０７が含まれる場合、特殊運転情報に関するコードを参照し、不一致状態情報を取得する。例えば、図９に示すように、特殊運転情報に関するコードがコード１の場合、不一致状態情報はコード１である（ステップＳ１０６）。
次に、制御部８１は、不一致状態情報に基づいて不一致状態の原因情報を取得する。ここでは、不一致状態情報はコード１であるため、それに該当する内容、すなわち、不一致原因として「自動ＯＮモード」を取得する（ステップＳ１０７）。
次に、制御部８１は、原因情報から状態一致方法情報を取得する。ここでは、原因情報は、「自動ＯＮモード」である。そこで、制御部８１は、それに相当する方法情報として、「コード１用状態一致方法情報」を取得する（ステップＳ１０８）。
【００８８】
（ステップＳ１０９）
制御部８１は、不一致状態情報、原因情報、及び状態一致方法情報に基づいて表示内容を生成する。
例えば、制御部８１が備える表示内容生成部９４が、コード１用状態一致方法情報に基づいて、運転状態情報と設定状態情報とを一致させる方法を生成する。すなわち、表示内容生成部９４は、室内機１１の運転内容と、空調用リモートコントローラー５に設定された設定内容とを一致させる方法画面を生成する。
【００８９】
（ステップＳ１１０）
制御部８１は、表示内容生成部９４が生成した表示内容を表示部８５に表示させ、処理を終了する。
ここで、表示内容の一例について図１０、１１を用いてそれぞれ説明する。図１０は、本発明の実施の形態１における運転状態情報と設定状態情報とが一致しない場合の空調用リモートコントローラー５の表示例を示す図である。図１１は、本発明の実施の形態１における運転状態情報と設定状態情報とが一致しない場合の空調用リモートコントローラー５の別の表示例を示す図である。
【００９０】
図１０に示すように、表示部８５には、表示項目８５ａと、表示項目８５ｂと、表示項目８５ｃとが表示されている。
表示項目８５ａには、「自動ＯＮで本体動作中です」というように、室内機１１の運転内容と、空調用リモートコントローラー５の設定内容とが不一致となった原因が表示される。
表示項目８５ｂには、「本体の運転とリモコン設定が一致してません」というように、室内機１１の運転内容と、空調用リモートコントローラー５の設定内容とが不一致である旨が表示される。
表示項目８５ｃには、「本体と一致させる場合は［運転  入／切］を押して下さい」というように、室内機１１の運転内容と、空調用リモートコントローラー５の設定内容とが不一致である場合、両者を一致させる方法が表示される。
【００９１】
図１０に示すように、室内機１１が特殊運転モードの一つである自動ＯＮモードとなっている場合、空調用リモートコントローラー５に設定された設定内容は、運転ＯＦＦである場合が多い。そのため、図１０の一例においては、室内機１１の運転内容と、空調用リモートコントローラー５の設定内容とを一致させるために、運転入／切ボタン８７ａを押下させることが方法として提示されている。
また、室内機１１の運転内容における運転モードが暖房であり、空調用リモートコントローラー５に設定された運転モードが冷房というように、両者の運転モードが単純に異なる場合、室内機１１の運転内容である暖房と一致させるように、暖房ボタン８７ｋを押下させる方法を表示させればよい。
【００９２】
次に、図１１に示すように、表示部８５には、表示項目８５ａと、表示項目８５ｂと、表示項目８５ｃとが表示されている。
表示項目８５ａには、「特殊機能モードで本体動作中」というように、室内機１１の運転内容と、空調用リモートコントローラー５の設定内容とが不一致となった原因が表示される。
表示項目８５ｂには、「本体の運転とリモコン設定が一致してません」というように、室内機１１の運転内容と、空調用リモートコントローラー５の設定内容とが不一致である旨が表示される。
表示項目８５ｃには、「どちらの設定に状態を一致させますか  本体［決定］  リモコン［戻る］」というように、室内機１１の運転内容と、空調用リモートコントローラー５の設定内容とが不一致である場合、両者を一致させる方法が表示される。
【００９３】
図１１に示す方法に基づいて、決定ボタン８７ｇが押下されると、空調用リモートコントローラー５は、設定状態情報保持部９２で保持している運転状態情報に関するコードが、運転状態情報保持部９１で保持している運転状態情報に関するコードに上書き更新される。そして、そのように上書き更新された結果に基づいて表示内容生成部９４により表示する表示文字や表示画像が生成され、表示部８５により上書き更新された運転内容が表示される。
なお、このとき、送受信部８３が空調用リモートコントローラー５で保持する運転状態情報に関するコードを室内機１１に送信してもよい。つまり、室内機１１から取得した運転状態情報を一旦空調用リモートコントローラー５で保持しておき、それを再び室内機１１へ送信する処理をしてもよい。
【００９４】
一方、図１１に示す方法に基づいて、戻るボタン８７ｅが押下されると、空調用リモートコントローラー５は、設定状態情報保持部９２で保持している運転状態情報に関するコードを送受信部８３を介して室内機１１に送信する。この場合、室内機１１は、自機、すなわち、室内機１１の運転状態情報を空調用リモートコントローラー５に設定された設定内容に上書き更新する。
【００９５】
なお、上記の説明では、室内機１１の運転内容と、空調用リモートコントローラー５の設定内容とが不一致である旨と、室内機１１の運転内容と、空調用リモートコントローラー５の設定内容とが不一致となった原因と、室内機１１の運転内容と、空調用リモートコントローラー５の設定内容とが不一致である場合、両者を一致させる方法とが一画面に同時に表示される一例について説明したが、特にこれに限定するものではない。
【００９６】
例えば、室内機１１の運転内容と、空調用リモートコントローラー５の設定内容とが不一致である旨と、室内機１１の運転内容と、空調用リモートコントローラー５の設定内容とが不一致となった原因と、室内機１１の運転内容と、空調用リモートコントローラー５の設定内容とが不一致である場合、両者を一致させる方法を分割して表示させてもよい。
【００９７】
図１２は、本発明の実施の形態１における運転状態情報と設定状態情報とが一致しない場合の空調用リモートコントローラー５の分割第１表示例を示す図である。図１３は、本発明の実施の形態１における運転状態情報と設定状態情報とが一致しない場合の空調用リモートコントローラー５の分割第２表示例を示す図である。図１４は、本発明の実施の形態１における運転状態情報と設定状態情報とが一致しない場合の空調用リモートコントローラー５の分割第３表示例を示す図である。
【００９８】
具体的には、室内機１１の運転内容と、空調用リモートコントローラー５の設定内容とが不一致である旨と、室内機１１の運転内容と、空調用リモートコントローラー５の設定内容とが不一致となった原因と、室内機１１の運転内容と、空調用リモートコントローラー５の設定内容とが不一致である場合、両者を一致させる方法とを図１２〜１４に示すように一画面ずつ順に表示させてもよい。つまり、表示部８５に表示される内容を分割しておいて一定の時間間隔で自動的に順に表示させてもよく、スクロールさせることで順に表示させてもよい。また、そのように一画面ずつ表示させる場合、上三角ボタン８７ｃ、下三角ボタン８７ｄ、及び決定ボタン８７ｇ等で画面の切り換えがなされてもよい。
なお、室内機１１の運転内容と、空調用リモートコントローラー５の設定内容とが不一致である旨、室内機１１の運転内容と、空調用リモートコントローラー５の設定内容とが不一致となった原因、室内機１１の運転内容と、空調用リモートコントローラー５の設定内容とが不一致である場合、両者を一致させる方法の表示順番については特に限定するものではない。
【００９９】
次に、室内機１１の運転内容と、空調用リモートコントローラー５の設定内容とが不一致である場合に、いずれかに一致させる専用のボタンが設けられた一例について図１５を用いて説明する。
図１５は、本発明の実施の形態１における空調用リモートコントローラー５の外観の他の構成例を示す図である。
【０１００】
図１５に示すように、表示部８５には、表示項目８５ａと、表示項目８５ｂと、表示項目８５ｃとが表示されている。
表示項目８５ａには、「特殊機能モードで本体動作中」というように、室内機１１の運転内容と、空調用リモートコントローラー５の設定内容とが不一致となった原因が表示される。
表示項目８５ｂには、「本体の運転とリモコン設定が一致してません」というように、室内機１１の運転内容と、空調用リモートコントローラー５の設定内容とが不一致である旨が表示される。
表示項目８５ｃには、「どちらの設定に状態を一致させますか  本体［本体］  リモコン［リモコン］」というように、室内機１１の運転内容と、空調用リモートコントローラー５の設定内容とが不一致である場合、両者を一致させる方法が表示される。
【０１０１】
図１５に示す方法に基づいて、本体ボタン８７ｎが押下されると、空調用リモートコントローラー５は、設定状態情報保持部９２で保持している運転状態情報に関するコードが、運転状態情報保持部９１で保持している運転状態情報に関するコードに上書き更新される。そして、そのように上書き更新された結果に基づいて表示内容生成部９４により表示する表示文字や表示画像が生成され、表示部８５により上書き更新された運転内容が表示される。
なお、このとき、送受信部８３が空調用リモートコントローラー５で保持する運転状態情報に関するコードを室内機１１に送信してもよい。つまり、室内機１１から取得した運転状態情報を一旦空調用リモートコントローラー５で保持しておき、それを再び室内機１１へ送信する処理をしてもよい。
【０１０２】
一方、図１５に示す方法に基づいて、リモコンボタン８７ｍが押下されると、空調用リモートコントローラー５は、設定状態情報保持部９２で保持している運転状態情報に関するコードを送受信部８３を介して室内機１１に送信する。この場合、室内機１１は、自機の運転状態情報を空調用リモートコントローラー５に設定された運転内容に上書き更新する。
なお、上記の説明では表示内容として表示文字や表示画像が生成される一例について説明したが、特にこれに限定するものではない。例えば、空調用リモートコントローラー５は、音声出力部が設けられている場合には、予め記憶された音声合成情報を再生することにより、報知させてもよい。また、音声入力部も設けられている場合には、ユーザーが好みの音声情報を作成し、それを入力し、その入力した音声情報を出力させることにより、報知させてもよい。
なお、表示文字は、例えば、文字のフォントデータ等から形成されるものであり、表示画像は、例えば、ラスター画像やベクター画像から形成されるものである。また、空調用リモートコントローラー５にインターネット接続インタフェースが設けられている場合には、適宜好みの文字や画像や動画や音声等をダウンロードし、それを報知に利用してもよい。
【０１０３】
なお、本体ボタン８７ｎは、本発明における「第１情報側一致ボタン」に相当する。
また、リモコンボタン８７ｍは、本発明における「第２情報側一致ボタン」に相当する。
【０１０４】
このように、運転内容と設定内容とが不一致状態であることと、運転内容と設定内容とが不一致状態となった原因と、運転内容と設定内容との不一致状態を一致状態に改善する方法とを提示することができる。これにより、ユーザーの使い勝手や利便性を向上させることができる。
【０１０５】
換言すれば、空調用リモートコントローラー５が、空気調和機３と相互通信を行い、空気調和機３の運転内容と空調用リモートコントローラー５の設定内容との比較を行い、その比較した結果、運転内容と設定内容とが不一致である場合にその旨を報知する。これにより、特殊運転モード中に、空気調和機３の運転内容と、空調用リモートコントローラー５の設定内容とが不一致である場合、設定内容と運転内容とが不一致である旨と、不一致となった原因と、不一致状態を一致状態に改善する方法とをユーザーに報知することができる。したがって、ユーザーの使い勝手や利便性を向上させることができる。
【０１０６】
以上のように、本実施の形態１において、室内機に制御指令を送信する空調用リモートコントローラーであって、前記室内機の運転内容を受信する送受信部と、前記室内機の運転内容と、前記空調用リモートコントローラーの設定内容とを比較する制御部と、前記制御部による比較結果に基づいた表示内容を表示する表示部と、を備え、前記制御部は、前記室内機が判断して動作する特殊運転モード中に、前記室内機の運転内容と、前記空調用リモートコントローラーの設定内容とが不一致である場合、前記室内機の運転内容と前記空調用リモートコントローラーの設定内容とが不一致である旨と、該不一致となった原因及び前記室内機の運転内容と前記空調用リモートコントローラーの設定内容とを一致させる方法の少なくとも一方と、を前記表示部により報知させることにより、空気調和機３の運転内容と、空調用リモートコントローラー５の設定内容とが不一致である場合、運転内容と設定内容とが不一致である旨と、不一致となった原因と、不一致状態を一致状態に改善する方法とをユーザーに報知することができる。したがって、ユーザーの使い勝手や利便性を向上させることができる。
【０１０７】
実施の形態２．
本実施の形態２において、実施の形態１との相違点は、情報ボタン８７ｈを用いなくとも、他のボタンであっても同様に情報ボタン８７ｈを用いて取得する情報を取得する点である。
なお、本実施の形態２において、特に記述しない項目については実施の形態１と同様とし、同一の機能や構成については同一の符号を用いて述べることとする。
また、実施の形態１と同様の構成、機能、及び動作についての説明については省略する。
【０１０８】
図１６は、本発明の実施の形態２における室内機１１及び空調用リモートコントローラー５の電気的な構成例を示すブロック図である。
図１６に示すように、制御部５１は、運転状態情報保持部１０１、設定状態情報保持部１０２、及び比較部１０６を備える。
なお、運転状態情報保持部１０１の構成及び機能は、運転状態情報保持部９１と同様であるため、その説明については省略する。
また、設定状態情報保持部１０２の構成及び機能は、設定状態情報保持部９２と同様であるため、その説明については省略する。
ただし、設定状態情報保持部１０２には、設定状態情報保持部９２に関するコードが格納され、運転状態情報保持部１０１には、室内機１１の運転内容に関するコードが格納されるものとする。
その際、制御部５１は、適宜記憶部５４に格納されている各種情報を運転状態情報保持部１０１及び設定状態情報保持部１０２に格納する。
また、比較部１０６の構成及び機能は、比較部９６と同様であるため、その説明については省略する。
【０１０９】
図１７は、本発明の実施の形態２における制御部５１及び制御部８１の制御例を説明するフローチャートである。
なお、ここでは相違点の処理について説明し、その他の説明については省略する。
【０１１０】
（ステップＳ５０１）
制御部８１は、例えば、上三角ボタン８７ｃが押下されたか否かを判定する。制御部８１は、上三角ボタン８７ｃが押下された場合、ステップＳ５０２へ進む。一方、制御部８１は、上三角ボタン８７ｃが押下されない場合、ステップＳ５０１へ戻る。
なお、上記の説明では、上三角ボタン８７ｃが押下された場合について説明したが、特にこれに限定するものではなく、他のボタンであってもよい。つまり、情報ボタン８７ｈ、リモコンボタン８７ｍ、及び本体ボタン８７ｎ以外であればよい。
なお、上記の動作は、空気調和機３の運転が稼働中であっても停止中であってもよいものとする。
【０１１１】
（ステップＳ５０２）
制御部８１は、室内機１１へ設定状態情報に関するコードを送信する。
【０１１２】
次に、ステップＳ６０１〜Ｓ６０５の処理について説明し、ステップＳ５０３〜Ｓ５１０の処理についての説明は省略する。
【０１１３】
（ステップＳ６０１）
制御部５１は、設定状態情報を受信したか否かを判定する。制御部５１は、設定状態情報を受信した場合、ステップＳ６０２へ進む。一方、制御部５１は、設定状態情報を受信しない場合、ステップＳ６０１へ戻る。
【０１１４】
（ステップＳ６０２）
制御部５１は、特殊運転モード中であるか否かを判定する。制御部５１は、特殊運転モード中ではない場合、ステップＳ６０３へ進む。一方、制御部５１は、特殊運転モード中である場合、ステップＳ６０６へ進む。
【０１１５】
（ステップＳ６０３）
制御部５１は、設定状態情報を反映する。具体的には、制御部５１は、空調用リモートコントローラー５から受信した設定状態情報に関するコードに、運転状態情報保持部１０１に格納されている室内機１１の運転内容に関するコードを上書き更新する。
【０１１６】
（ステップＳ６０４）
制御部５１は、運転状態情報保持部１０１に格納されている運転状態情報、すなわち、運転状態情報保持部１０１に格納されている室内機１１の運転内容に関するコードを取得する。
【０１１７】
（ステップＳ６０５）
制御部５１は、取得した情報を空調用リモートコントローラー５に送信する。
【０１１８】
（ステップＳ６０６）
制御部５１は、運転状態情報と、設定状態情報とが一致するか否か又は特殊運転状態に影響がない不一致内容であるかを判定する。制御部５１は、運転状態情報と、設定状態情報とが一致する場合又は特殊運転状態に影響がない不一致内容である場合、ステップＳ６０３へ進む。一方、制御部５１は、運転状態情報と、設定状態情報とが一致しない場合又は特殊運転状態に影響がある不一致内容である場合、ステップＳ６０７へ進む。
【０１１９】
（ステップＳ６０７）
制御部５１は、不一致状態情報を取得し、ステップＳ６０４へ進む。
【０１２０】
このようにすることで、情報ボタン８７ｈを用いなくとも、他のボタンであっても同様に情報ボタン８７ｈにより得られる情報を取得することができる。
したがって、ユーザーの使い勝手や利便性を向上させることができる。
【０１２１】
実施の形態３．
本実施の形態３において、実施の形態１、２との相違点は、空調用リモートコントローラー５以外で室内機１１の運転内容を変更する点である。
なお、本実施の形態３において、特に記述しない項目については実施の形態１、２と同様とし、同一の機能や構成については同一の符号を用いて述べることとする。
また、実施の形態１、２と同様の構成、機能、及び動作についての説明については省略する。
【０１２２】
図１８は、本発明の実施の形態３における空気調和システム１の概略構成を示す図である。図１８に示すように、室内機１１は、サブリモートコントローラー６と通信媒体を介して通信する。室内機１１は、ＩＰ網１０を介してエネルギー管理システム７と通信する。
【０１２３】
室内機１１と室外機１５とは各種配管や信号線等を介して接続されている。室内機１１及び室外機１５、つまり、空気調和機３は、空調用リモートコントローラー５、サブリモートコントローラー６、及びエネルギー管理システム７の何れか一つからの制御指令に基づいて、冷媒配管を流れる冷媒の圧力を変化させて冷媒の吸熱や放熱により空気調和を行う。室内機１１は、空調用リモートコントローラー５、サブリモートコントローラー６、及びエネルギー管理システム７等と相互通信を行うことにより、空気調和機３の室内機１１の運転内容に関する情報等を送受信する。
サブリモートコントローラー６は、空調用リモートコントローラー５の構成及び機能と同一のものであり、予備用のコントローラとして利用されるものである。
【０１２４】
エネルギー管理システム７は、家庭内にあって家電機器の電力消費量を表示したり、遠隔的に運転を制御するものであり、例えば、ＨＥＭＳ（Ｈｏｍｅ  Ｅｎｅｒｇｙ  Ｍａｎａｇｅｍｅｎｔ  Ｓｙｓｔｅｍ）と呼ばれているものが現在各家庭に導入されつつある。
なお、エネルギー管理システム７は、上記の他にも、例えば、ＢＥＭＳ（Ｂｕｉｌｄｉｎｇ  ａｎｄ  Ｅｎｅｒｇｙ  Ｍａｎａｇｅｍｅｎｔ  Ｓｙｓｔｅｍ）、ＦＥＭＳ（Ｆａｃｔｏｒｙ  Ｅｎｅｒｇｙ  Ｍａｎａｇｅｍｅｎｔ  Ｓｙｓｔｅｍ）、及びＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）等が必要に応じて導入されている。
なお、上記の説明では、エネルギー管理システム７と、室内機１１との通信媒体としてＩＰ網１０が利用される一例について説明したが、特にこれに限定するものではない。例えば、室内機１１は、図示は省略するが、電話回線網を介してエネルギー管理システム７と通信してもよい。また、ＩＰ網１０は、有線通信によるＩＰ網１０であっても、無線通信によるＩＰ網１０であっても、光通信によるＩＰ網１０であってもよい。
【０１２５】
上記の構成を前提として、室内機１１は、空調用リモートコントローラー５以外からの制御指令を受信することができる。例えば、サブリモートコントローラー６が室内機１１に制御指令を送信した場合には、室内機１１は、その制御指令に基づいて運転内容を変更する。また、例えば、エネルギー管理システム７が室内機１１に制御指令を送信した場合には、室内機１１は、その制御指令に基づいて運転内容を変更する。
【０１２６】
このように、外部から室内機１１の運転内容を変更した場合であっても、実施の形態１、２で説明した上記の処理が実行されることにより、空調用リモートコントローラー５は表示部８５を用い、不一致である旨、不一致となった原因、及び不一致状態から一致状態へと導く方法を報知することができる。
したがって、ユーザーの使い勝手や利便性を向上させることができる。
【符号の説明】
【０１２７】
１  空気調和システム、３  空気調和機、５  空調用リモートコントローラー、６  サブリモートコントローラー、７  エネルギー管理システム、１０  ＩＰ網、１１  室内機、１５  室外機、１７  筐体、５１  制御部、５３  送受信部、５４  記憶部、５５  センサー部、５７  駆動部、５８  報知部、６１  運転状態情報、６２  お知らせ情報、６３  特殊運転情報、６８  コード対応テーブル、７１  制御部、８１  制御部、８３  送受信部、８５  表示部、８５ａ〜８５ｃ  表示項目、８７  操作部、８７ａ  運転入／切ボタン、８７ｂ  シーンセレクトボタン、８７ｃ  上三角ボタン、８７ｄ  下三角ボタン、８７ｅ  戻るボタン、８７ｆ  メニューボタン、８７ｇ  決定ボタン、８７ｈ  情報ボタン、８７ｉ  冷房ボタン、８７ｊ  除湿ボタン、８７ｋ  暖房ボタン、８７ｍ  リモコンボタン、８７ｎ  本体ボタン、８９  記憶部、９１  運転状態情報保持部、９２  設定状態情報保持部、９４  表示内容生成部、９６  比較部、９８  コード対応テーブル、１０１  運転状態情報保持部、１０２  設定状態情報保持部、１０６  比較部。
【図１】
2014035162.tif 000003
【図２】
2014035162.tif 000004
【図３】
2014035162.tif 000005
【図４】
2014035162.tif 000006
【図５】
2014035162.tif 000007
【図６】
2014035162.tif 000008
【図７】
2014035162.tif 000009
【図８】
2014035162.tif 000010
【図９】
2014035162.tif 000011
【図１０】
2014035162.tif 000012
【図１１】
2014035162.tif 000013
【図１２】
2014035162.tif 000014
【図１３】
2014035162.tif 000015
【図１４】
2014035162.tif 000016
【図１５】
2014035162.tif 000017
【図１６】
2014035162.tif 000018
【図１７】
2014035162.tif 000019
【図１８】
2014035162.tif 000020